(57)【要約】【課題】  運転中に生じる腰痛や肩凝り等を予防・回復することができる血行改善機能付き車両用シートを提供すること。【解決手段】  シート本体１内に、着座者の血行障害が発生するおそれのある部位に向けて超低周波微小交流磁界を印加する導電コイル１０および発振器１１を内蔵した。なお、前記導電コイル１０としては、周波数が５００ヘルツ（Ｈｚ）以下、振幅が１０ガウス（Ｇ）以下の超低周波微小交流磁界を発振するものとすることが好ましい。更に導電コイル１０は、コイルを巻回したものでシート表面形状に沿ってシート本体１の裏面側に埋設されているものや、シート表面上に取り付けられているものとすることもできる。【選択図】      図１
2005247097.tif 000002
【特許請求の範囲】
【請求項１】
シート本体内に、着座者の血行障害が発生するおそれのある部位に向けて超低周波微小交流磁界を印加する導電コイルおよび発振器を内蔵したことを特徴とする血行改善機能付き車両用シート。
【請求項２】
発振器は、周波数が５００ヘルツ（Ｈｚ）以下、振幅が１０ガウス（Ｇ）以下の超低周波微小交流磁界を発振するものである請求項１に記載の血行改善機能付き車両用シート。
【請求項３】
導電コイルは、コイルを巻回したものでシート表面形状に沿ってシート本体に埋設されている請求項１または２に記載の血行改善機能付き車両用シート。
【請求項４】
導電コイルは、コイルを巻回したものでシート表面上に取り付けられている請求項１または２に記載の血行改善機能付き車両用シート。
【発明の詳細な説明】
【技術分野】
【０００１】
本発明は、運転中に生じる腰痛や肩凝り等を予防・回復することができる血行改善機能付き車両用シートに関するものである。
【背景技術】
【０００２】
例えば、自動車の運転を長時間継続していると血行障害により腰痛や肩凝り等を発生させ運転に集中することができず、安全運転の妨げとなることがある。一方、腰痛や肩凝り等の治療方法としては種々のものが開発されており、例えばマッサージ機のように機械的な押圧や打撃等により筋肉を揉みほぐすのが一般的である。しかしながら、車両用シートの場合は従来のような機械的な装置を組み込むようなスペースの余裕がないため、そのまま適用することができないものであった。しかも、このような機械的な押圧や打撃等は、体表面からの血行促進にとどまり、体内部からの血行促進になっておらず一時的な効き目しかないものであった。
【０００３】
そこで、ランバーサポートと称される疲労軽減用の可動式補助シートが提案されている。これは、シートパッドの一部を可動式として、着座者の体型に合うようにシートパッドの一部を調節するものであるが、治療器具でないため長時間継続して着座する場合は腰痛や肩凝り等の発生を確実に防止することはできないものであった。また、その他の治療器具としては、特許文献１に示されるように、磁気を利用してマッサージ効果を得るものも知られているが、精密機器で高価であるうえにシート本体内に簡単に組み込むことは困難であり、それを利用した車両用シートは実現化されていない。従って、長時間継続して着座しても腰痛や肩凝り等を発生させることがなく、また発生してもそれを解消することができ、しかもシート本体内に簡単かつ安価に組み込むことができる新たな車両用シートの開発が望まれているのが現状である。
【特許文献１】特公平６−７８７１号公報
【発明の開示】
【発明が解決しようとする課題】
【０００４】
本発明は上記の問題点を解決して、長時間継続して着座しても腰痛や肩凝り等の発生を確実に予防・回復することができ、またシートにも簡単に組み込むことができて、しかも座り心地を悪化させたり生産コストを引き上げることのない血行改善機能付き車両用シートを提供することである。
【課題を解決するための手段】
【０００５】
上記の課題を解決するためになされた本発明の血行改善機能付き車両用シートは、シート本体内に、着座者の血行障害が発生するおそれのある部位に向けて超低周波微小交流磁界を印加する導電コイルおよび発振器を内蔵したことを特徴とするものである。
【発明の効果】
【０００６】
本発明の血行改善機能付き車両用シートは、シート本体内に、着座者の血行障害が発生するおそれのある部位に向けて超低周波微小交流磁界を印加する導電コイルおよび発振器を内蔵したものとしたので、超低周波微小交流磁界が血行障害が発生している部位に直接作用して血行障害改善および血行増進等を体内部から促すこととなり、この結果、腰痛や肩凝り等の発生の予防あるいは回復を確実に行うこととなる。しかも、物理的な刺激による血行促進作用でないため血管へのダメージもなく、更にはリバウンド作用の発生もなく安全運転を継続することが可能となる。
【発明を実施するための最良の形態】
【０００７】
以下に、図面を参照しつつ本発明の好ましい形態を示す。
【０００８】
図面は、本発明を運転席側のフロントシートに適用した場合を示すもので、図１はシート全体を示す斜視図、図２は使用状態を示す説明図である。また、図中１はシートクッション１ａとシートバック１ｂとからなるシート本体であり、従来の車両用シートと同じである。
【０００９】
そして本発明では、前記シート本体１内に、着座者の血行障害が発生するおそれのある部位に向けて超低周波微小交流磁界を印加する導電コイル１０および発振器１１を内蔵した点に特徴を有する。すなわち、前記導電コイル１０および発振器１１から着座者の血行障害が発生するおそれのある部位に向けて超低周波微小交流磁界を印加することにより、着座者の血行障害が発生するおそれのある部位に超低周波微小交流磁界を直接作用させて、被印加部内部より血行障害改善および血行増進等を促すのである。
【００１０】
なお、図示のものでは、超低周波微小交流磁界を印加する導電コイル１０および発振器１１として、脚部がだるくなるのを防止するための導電コイル１０および発振器１１をシートクッション１ａ内に内蔵した場合と、また腰痛を防止するための導電コイル１０および発振器１１をシートバック１ｂ内に内蔵した場合を示したが、その他、着座者の要求に応じてシート本体１内の任意の場所に設置できることは勿論である。
例えば、図３はオットマン２に同様の導電コイル１０および発振器１１を内蔵した場合を示すものであるが、この場合は脹脛部の血行障害を的確に防止できることとなる。また、コンソールボックスやアームレスト等の上面部に導電コイル１０および発振器１１を内蔵すれば、腕部の血行障害を的確に防止できることとなる。
【００１１】
これは、本発明者が研究した結果、着座者の血行障害が発生するおそれのある部位に超低周波微小交流磁界を選択的に直接印加させることで血行障害改善および血行増進等を促すことを見出し、本発明を完成するに至ったのである。
更に詳述すると、生体に微小パルス磁界を印加すると細胞内外の水分子のクラスターが地磁気下サイクロトロン共振を通して、同じサイズの水分子クラスターが集合し、水分子内のプロトンが活性化して細胞エネルギー物質（アデノシン３リン酸：ＡＴＰ）が多く合成される。このＡＴＰの合成により生体内の活性化が進んで生体内のイオンや血液成分が活発に移動し、この結果、血行障害改善および血行増進等を促すのである。つまり、着座者の血行障害が発生するおそれのある部位に超低周波微小交流磁界を印加すると、血行障害改善および血行増進等が促され腰痛や肩凝り等の発生の予防あるいは回復ができるのである。
【００１２】
前記導電コイル１０の具体的な配置例として、図示のものでは、シートクッション１ａシートバック１ｂ内に、それぞれ導電コイル１０を１００回程度巻き回したものとしてシート表面形状に沿ってシート本体１の裏面側に埋設した場合を示す。
この装置では、電源として３〜１０Ｖのものを用いており、電流値は３〜２０ｍＡで使用電力は１０〜２００ｍＷと小さく、周波数が５００ヘルツ（Ｈｚ）以下、振幅が１０ガウス（Ｇ）以下の超低周波微小交流磁界を発振している。このような導電コイル１０および発振器１１により発振される超低周波微小交流磁界は、振幅が１０ガウス（Ｇ）以下で地磁気よりも十分に小さい微弱磁気であるため安全性に優れたものであり、また微小電気だけを使用するため電装部品と簡単に連動することができ小型で、かつ微小消費電力でありシート本体１内への埋蔵も容易に行うことができる。
また導電コイルは、コイルを巻回したもので薄くてコンパクトであるので、前述のようにシート本体１内へ埋設するだけでなく、必要に応じてシート表面上にセットし簡単に取り付けるものとすることもできる。
【００１３】
以上に説明したように、本発明はシート本体１内に、着座者の血行障害が発生するおそれのある部位に向けて超低周波微小交流磁界を印加する導電コイル１０および発振器１１を内蔵したので、この部位には超低周波微小交流磁界が印加されて血行障害改善および血行増進等が体内部から促されることとなり、この結果、着座者の腰痛や肩凝り等の発生の予防あるいは回復が適正に行われることとなる。しかも、外部から物理的な刺激を与える方式でないため、血管へのダメージもなく、またリバウンド作用の発生もなく安全運転を継続することが可能となる。更には、コンパクトな装置であり、また電気だけを使用するため配線等もシンプルでありシート本体１内に簡単に内蔵することができるとともに、シートとしての感触を損なうこともない。
【実施例】
【００１４】
Ａ（２２歳男性）、Ｂ（２４歳男性）、Ｃ（２５歳男性）、Ｄ（４３歳男性）、Ｅ（４８歳男性）、Ｆ（６２歳男性）の５名の被験者に、振幅が１０ミリガウス（ｍＧ）で、周波数が８．４ヘルツ（Ｈｚ）と６．０ヘルツ（Ｈｚ）の超低周波微小交流磁界を１０分間印加した前後の血流コンダクタンスを測定した。
血流コンダクタンスは、１分間における血圧と脈拍数における血流量で、この値が大きいほど血流が盛んであることを意味しており、下記の〔式１〕により求めることができる。
【００１５】
〔式１〕
血流コンダクタンス＝血流量／（（最高血圧＋最低血圧）×脈拍数）
・血流量：ｍｌ／ｍｉｎ
・血圧  ：ｍｍＨｇ
・脈拍数：／ｍｉｎ
表１に示されるように、超低周波微小交流磁界を印加した後は血流コンダクタンスが増加していることが判り、超低周波微小交流磁界の印加による血行障害改善および血行増進等の促進効果が確認できた。
【００１６】
【表１】
2005247097.tif 000003
【図面の簡単な説明】
【００１７】
【図１】本発明の実施の形態を示す斜視図である。
【図２】本発明の使用状態を示す説明図である。
【図３】その他の使用状態を示す説明図である。
【符号の説明】
【００１８】
１  シート本体
１ａ  シートクッション
１ｂ  シートバック
２  オットマン
１０  導電コイル
１１  発振器
【図１】
2005247097.tif 000004
【図２】
2005247097.tif 000005
【図３】
2005247097.tif 000006